(57)【要約】【課題】撮影者の撮影ミスを防止する。【解決手段】縦長プリント専用モードが選択されると非プリント領域がスルー画像とともに表示され、これによりプリント範囲がＬＣＤから表示される。このとき、カメラ本体を縦長な姿勢にするとＬＣＤから警告画面が表示され、カメラ本体を横長な姿勢とするように撮影者に促される。カメラ本体を横長な姿勢としてスルー画蔵を表示させた状態でシャッタボタンが押下されると、システムコントローラは縦撮影フラグを画像データに付してメモリカードに画像データを記憶させる。撮影者がプリントを指示すると、画像データが赤外線通信部を介して携帯型プリンタに送信される。携帯型プリンタでは受信した画像データに基づいてフレーム付きの縦長な写真プリントがプリントされる。【選択図】図９
2007288262.tif 000002
【特許請求の範囲】
【請求項１】
カメラ本体が横長な姿勢のときには横長なアスペクト比のスルー画像が表示されるとともに、横長なアスペクト比の画像が撮影される撮影装置において、
撮影された画像をフレーム付きの縦長な写真プリントにプリントさせ、かつプリントされる画像の範囲を前記カメラ本体が横長な姿勢のときにスルー画像の表示とともに表示する縦長プリント専用モードを設定したことを特徴とする撮影装置。
【請求項２】
前記カメラ本体が前記横長な姿勢を保っていない状態で前記縦長プリント専用モードが選択された場合には、前記カメラ本体を前記横長な姿勢に保つことを撮影者に促す報知手段を設けたことを特徴とする請求項１記載の撮影装置。
【発明の詳細な説明】
【技術分野】
【０００１】
カメラ本体が横長な姿勢を保った状態では横長なアスペクト比のスルー画像が表示される撮影装置に関するものである。
【背景技術】
【０００２】
近年、カメラ付き携帯電話やデジタルカメラからのプリント信号を受け取り、撮影された画像をその場でプリントする携帯型プリンタが各メーカーから提供されている。携帯型プリンタは利便性に優れていることから広く普及している。携帯型プリンタでは一般的にフレーム付きの縦長な写真プリントが得られる。最近ではフレームに模様やキャラクタなどが予め付されたインスタントフイルムも提供されており、これにより、携帯型プリンタを使用して画像をプリントすることへの撮影者の興味を高めるようにしている。
【０００３】
ところで、カメラ付き携帯電話ではその姿勢を傾けずに撮影を行えば縦長なアスペクト比の画像が撮影されるため、通常の使用状態での姿勢で撮影を行えば携帯型プリンタでの写真プリントの向きと撮影した画像の向きとを一致させることができる。しかし、一般的に、デジタルカメラは横長な姿勢で撮影を行うことを前提としており、得られる画像のアスペクト比も横長に設定されているため、デジタルカメラを横長な姿勢にして撮影した画像を携帯型プリンタでプリントすると写真プリントの向きと画像の向きとが一致せず、このことが撮影者に不便さを感じさせていた。両者を一致させるにはデジタルカメラを縦長な姿勢にして撮影を行うことが必要となるが、縦長な姿勢を保った状態で撮影を行うとデジタルカメラを保持し辛くなるため、手ブレやフレーミングのミスを起こしやすくなる欠点がある。このため、例えば特許文献１で示されているように、横長なアスペクト比と縦長なアスペクト比のいずれの画像を撮影するかを選択でき、また、選択したアスペクト比のスルー画像を横長な姿勢を保った状態でも表示することが考えられる。
【特許文献１】特開２０００−２７８５９０
【発明の開示】
【発明が解決しようとする課題】
【０００４】
しかしながら上記のデジタルカメラでは、撮影者が縦長なアスペクト比を選択したにも関わらず縦長な姿勢を保ったままで撮影を行ってしまうと、携帯型プリンタでプリントされた写真プリントとその画像の向きが一致せず、撮影者の意図した写真プリントが得られないおそれがある。
【０００５】
本発明は、上記問題点を考慮してなされたもので、撮影者の撮影ミスを防止できるようにした撮影装置を提供することを目的とする。
【課題を解決するための手段】
【０００６】
上記課題を解決するために、本発明の撮影装置は、カメラ本体が横長な姿勢のときには横長なアスペクト比のスルー画像が表示されるとともに、横長なアスペクト比の画像が撮影される撮影装置において、撮影された画像をフレーム付きの縦長な写真プリントにプリントさせ、かつプリントされる画像の範囲を前記カメラ本体が横長な姿勢のときにスルー画像の表示とともに表示する縦長プリント専用モードを設定したことを特徴とする。
【０００７】
なお、前記カメラ本体が前記横長な姿勢を保っていない状態で前記縦長プリント専用モードが選択された場合には、前記カメラ本体を前記横長な姿勢に保つことを撮影者に促す報知手段を設けることが好ましい。
【発明の効果】
【０００８】
本発明の撮影装置では、撮影された画像をフレーム付きの縦長な写真プリントにプリントさせ、かつプリントされる画像の範囲をカメラ本体が横長な姿勢のときにスルー画像の表示とともに表示する縦長プリント専用モードを設定したので、フレーム付きの縦長な写真プリントをプリントすることを前提としての撮影であることを撮影者に意識させることが可能になり、撮影者の撮影ミスを防止できる。
【０００９】
また、カメラ本体が横長な姿勢を保っていない状態で縦長プリント専用モードが選択された場合には、カメラ本体を横長な姿勢に保つことを撮影者に促す報知手段を設けたので、フレーム付きの写真プリント向きと画像の向きとが不一致となることを防止することが可能になり、撮影者の意図する写真プリントを確実に得ることができる。
【発明を実施するための最良の形態】
【００１０】
図１及び図２に示すように、デジタルカメラ（撮影装置）１０は横長な略直方体形状のカメラ本体１１を備えている。カメラ本体１１の前面には、撮影レンズ１２、対物ファインダ窓１３、ストロボ発光部１４、カメラ本体１１の背面には、接眼ファインダ窓１５や報知手段である液晶ディスプレイ（ＬＣＤ）１６、操作パネル１７などが設けられている。ＬＣＤ１６からはスルー画像や各種メニュー画面などが表示される。操作パネル１７は、ＬＣＤ１６にメニュー画面を表示させるメニューボタン１８、選択内容を決定する決定ボタン１９、メニュー画面内でカーソルを移動させる十字キー２０を備えている。メニュー画面では後述するプリントモードを選択する「プリントモード選択」やプリントする画像を指示する「プリント指示」などのメニュー項目が表示される。カメラ本体１１の上面には、シャッタボタン２１や電源ボタン２２などが設けられている。また、カメラ本体１１の右側面には、赤外線によって携帯型プリンタに画像データを送信する赤外線通信部２３が設けられている。
【００１１】
デジタルカメラ１０のプリントモードは、通常プリントモードと縦長プリント専用モードとから構成されている。
【００１２】
図３に示すように、通常プリントモードではカメラ本体１１が横長な姿勢のときにＬＣＤ１６から横長なアスペクト比のスルー画像３０が表示され、カメラ本体１１が横長な姿勢のときに横長なアスペクト比の画像が撮影される。
【００１３】
図４に示すように、縦長プリント専用モードではカメラ本体１１が横長な姿勢のときにスルー画像３０とともに非プリント領域３１がＬＣＤ１６から表示される。これにより、縦長プリント専用モードで撮影された画像がプリントされたときのプリント範囲３２が表示される。縦長プリント専用モードを選択して撮影を行うと縦長なアスペクト比の画像が撮影される。
【００１４】
図５に示すように、メニュー画面で「プリントモード選択」の項目が選択されると、プリントモード選択画面３５が表示される。プリントモード選択画面３５では、十字キー２０の操作によってカーソル３６を移動させることにより通常プリントモード表示３７又は縦長プリント専用モード表示３８のいずれかが選択される。プリントモードを選択した後に決定ボタン１９が押下されると、選択されたプリントモードに応じたスルー画像３０が表示される。
【００１５】
図６に示すように、デジタルカメラ１０で縦長プリント専用モードを設定した状態でプリントを実行すると携帯型プリンタ４０によって写真プリントがプリントされる。携帯型プリンタ４０は略直方体形状のプリンタ本体４１を備えている。プリンタ本体４１の前面には、赤外線通信部４２、電源ボタン４３、リピートボタン４４、カウンタ４５が設けられている。赤外線通信部４２は赤外線通信によって送信されたデジタルカメラ１０からの画像データを受信する。リピートボタン４４は、前回のプリントと同様のプリントを行う際に操作される。カウンタ４５は、プリンタ本体４１に収納されているインスタントフイルムの残り枚数を表示する。プリンタ本体４１の一側面には排出口４６が設けられている。インスタントフイルムに画像がプリントされて出来上がった写真プリントは排出口４６からプリント本体４１外に排出される。
【００１６】
図７に示すように、携帯型プリンタ４０でプリントされる写真プリント５０はフレーム５１付きの縦長な形状となっており、写真プリント５０の画像領域５２はそのアスペクト比が縦長となる。なお、フレーム５１にその向きにあった模様やキャラクタなどを付してもよい。
【００１７】
次に、デジタルカメラ１０の電気的構成について説明する。図８に示すように、デジタルカメラ１０は、カメラ本体１１全体の動作を制御するシステムコントローラ６１を備えている。システムコントローラ６１はＲＯＭ６１ａ及びＲＡＭ６１ｂを備え、データバス６９を介してカメラ本体１１の各部に接続されている。ＲＯＭ６１ａにはカメラ本体１１を制御するためのプログラムやデータが格納されている。システムコントローラ６１は、ＲＯＭ６１ａのプログラムやデータを読み出すとともに、データバス６９を介してカメラ本体１１各部と信号やコマンドの入出力を行うことによってカメラ本体１１各部の制御を行う。ＲＡＭ６１ｂは、カメラ本体１１を制御するにあたって必要なデータの一時的な保存などに用いられる。また、システムコントローラ６１には操作パネル１７（メニューボタン１８、決定ボタン１９、十字キー２０）やシャッタボタン２１、電源ボタン２２からの操作信号が入力される。システムコントローラ６１は入力された操作信号に応答して各種の処理を実行する。
【００１８】
撮影レンズ１２の背後には、撮影レンズ１２を透過した被写体光を撮像するＣＣＤイメージセンサ６２が配置されている。ＣＣＤイメージセンサ６２にはＣＣＤドライバ６３が接続されている。ＣＣＤドライバ６３は、タイミングジェネレータ６４から入力されるクロックパルスに応じて垂直駆動信号及び水平駆動信号をＣＣＤイメージセンサ６２に入力し、これによりＣＣＤイメージセンサ６２を駆動する。システムコントローラ６１はタイミングジェネレータ６４で発生させるクロックパルスを制御することによってＣＣＤイメージセンサ６２の駆動を制御する。
【００１９】
ＣＣＤイメージセンサ６２には、相関二重サンプリング回路（ＣＤＳ）６５及びアンプ（ＡＭＰ）６６が接続されている。ＣＤＳ６５にはＣＣＤイメージセンサ６２からの撮像信号が入力される。ＣＤＳ６５は、ＣＣＤイメージセンサ６２の各セルの蓄積電荷量に対応したＲ，Ｇ，Ｂの画像データを出力する。ＡＭＰ６６は、ＣＤＳ６５から入力された画像データを所定のゲインで増幅する。Ａ／Ｄ変換器６７は、ＡＭＰ６６から入力されたアナログの画像データをデジタルの画像データに変換する。Ａ／Ｄ変換器６７によって変換されたデジタルの画像データは画像入力コントローラ６８に入力される。
【００２０】
システムコントローラ６１は画像入力コントローラ６８に入力された画像データをバッファメモリ７０またはビデオメモリ７１に保存する。画像信号処理回路７２は、バッファメモリ７０の画像データに対して階調変換、ホワイトバランス補正、γ補正等の各種画像処理、及びＹＣ変換処理等を施す。また、画像信号処理回路７２は、ビデオメモリ７１の画像データに対して簡易な画像処理及びＹＣ変換処理等を施す。ビデオメモリ７１の画像データはＬＣＤドライバ７３に入力される。ＬＣＤドライバ７３は、入力された画像データに対して信号処理を施し、信号処理後の画像をスルー画像としてＬＣＤ１６から表示させる。
【００２１】
操作パネル１７のメニューボタン１８が操作されると、システムコントローラ６１はＲＯＭ６１ａで記憶されているメニュー画面の画像データをＬＣＤドライバ７３に入力する。これに応答してＬＣＤドライバ７３はＬＣＤ１６からメニュー画面を表示させる。そして、システムコントローラ６１は、選択されたメニュー項目にしたがって、前述したプリントモード選択画面３５や「プリント指示」の項目が選択されたときのプリント指示画面などをＲＯＭ６１ａから画像データを読み出してＬＣＤ１６から表示させる。各画面では、システムコントローラ６１は十字キー２０の操作に応答して画面上のカーソルが移動するようにＬＣＤドライバ７３を制御する。また、ＲＯＭ６１ａには、縦長プリント専用モードでのスルー画像の表示中にカメラ本体１１が縦長な姿勢とされた場合に、カメラ本体１１を横長な姿勢とするように促す警告画面を表示するための画像データが格納されている。システムコントローラ６１は、縦長プリント専用モードでのスルー画像の表示中に後述する姿勢検出装置７９でカメラ本体１１が縦長な姿勢であることが検出されると、警告画面の画像データを読み出してＬＣＤ１６から表示させる。
【００２２】
圧縮伸張処理回路７４は、バッファメモリ７０の画像データに対してＪＰＥＧ方式等の圧縮形式により圧縮処理を施す。メディアコントローラ７５は圧縮伸張処理回路７４で圧縮処理された画像データをメモリカード７６に記憶させる。圧縮伸張処理回路７４は、画像データを再生する際にメモリカード７６から読み出される画像データに対して伸張処理を行う。また、圧縮伸張処理回路７４は、携帯型プリンタに送信する画像データは一旦伸長処理を施した後に携帯型プリンタで得られる写真プリンタのサイズとなるように圧縮処理を施す。なお、縦長プリント専用モードでの撮影で得られた画像データにはシステムコントローラ６１によって縦撮影フラグが付される。これにより、メモリカード７６で保存された画像データが通常プリントモード、あるいは、縦長プリント専用モードでのいずれのモード下で撮影されたものかが判別される。ストロボ装置７７はストロボ発光部１４から被写体に向けてストロボ光を放射させる。
【００２３】
通信インターフェイス（Ｉ／Ｆ）７８は赤外線通信部２３によるデータの送受信を制御する。赤外線通信部２３は携帯型プリンタの通信状態を確認するために携帯型プリンタに接続を要求する信号を送信し、携帯型プリンタから接続を許可する信号を受信してから画像データを送信する。
【００２４】
姿勢検出装置７９は、円弧状の筒、この筒内に封入された水銀及び筒内の中央部及び両端部の３箇所に配置された電極を備えている。そして、筒内の水銀が３箇所の電極のうちのいずれを短絡させたかを検出することによってカメラ本体１１の姿勢が検出される。
【００２５】
次に、図９を用いて縦長プリント専用モードが選択された場合の処理の流れを説明する。撮影者は先ず電源ボタン２２を押下してデジタルカメラ１０の電源をオンする。電源をオンした後、撮影者はメニューボタン１８を押下してＬＣＤ１６からメニュー画面を表示させ、さらに、「プリントモード」の項目を選択してプリントモード選択画面３５を表示させる。プリントモード選択画面３５で縦長プリント専用モードが選択されると非プリント領域３１がスルー画像３０とともに表示され、これによりプリント範囲３２がＬＣＤ１６から表示される。このとき、カメラ本体１１を縦長な姿勢にするとＬＣＤ１６から警告画面が表示され、カメラ本体１１を横長な姿勢とするように撮影者に促される。カメラ本体１１を横長な姿勢としてスルー画蔵３０を表示させた状態でシャッタボタン２１が押下されると、システムコントローラ６１は縦撮影フラグを画像データに付してメモリカード７６に画像データを記憶させる。撮影が終了して得られた画像をプリントするには、撮影者は再びメニュー画面をＬＣＤ１６から表示させ、「プリント指示」の項目を選択する。「プリント指示」が選択されると、縦長プリント専用モードで撮影された画像の一覧が表示される。そして撮影者がプリントを行う画像を選択すると、選択された画像の画像データが赤外線通信部２３を介して携帯型プリンタ４０に送信される。携帯型プリンタ４０では受信した画像データに基づいて写真プリントがプリントされる。
【００２６】
上記実施形態では、縦長プリント専用モードで非プリント領域３１を表示することによってプリント範囲３２を表示したが、例えば図１０に示すように、その内側の領域がプリント範囲を示すプリント範囲枠８０を表示することによって縦長プリント専用モードでのプリント範囲を表示するなど、プリント範囲の表示の態様は適宜の態様にしてよい。また、例えばプリント範囲枠８０を十字キー２０で移動可能にするなど、プリントする位置を撮影者が設定できるようにしてもよい。
【００２７】
上記実施形態では、縦長プリント専用モードでのスルー画像３０の表示中にカメラ本体１１が縦長な姿勢となった場合に、ＬＣＤ１６で警告画面を表示してカメラ本体１１を横長な姿勢にするように促す報知を行ったが、これを促す報知は例えば音声による報知や報知ランプの点灯による報知などその態様は適宜に設定してよい。
【００２８】
上記実施形態では、縦長プリント専用モードで撮影が行われた場合に携帯型プリンタ４０で写真プリント５０をプリントしたが、撮影された画像をフレーム付きの縦長な写真プリントにプリントさせるプリンタであれば縦長プリント専用モードで撮影が行われた場合に写真プリントをプリントするプリンタは携帯型プリンタに限らなくてもよい。
【図面の簡単な説明】
【００２９】
【図１】デジタルカメラの前面側の構成を示す斜視図である。
【図２】デジタルカメラの背面側の構成を示す斜視図である。
【図３】通常プリントモードでスルー画像を表示させた場合の説明図である。
【図４】縦長プリント専用モードでのプリント範囲の表示を非プリント領域の表示によって行った場合の説明図である。
【図５】プリントモード選択画面を示す説明図である。
【図６】携帯型プリンタの外観図である。
【図７】携帯型プリンタでプリントされた写真プリントの説明図である。
【図８】デジタルカメラの電気的構成を示すブロック図である。
【図９】縦長プリント専用モードでの処理の流れを示すフローチャートである。
【図１０】縦長プリント専用モードでのプリント範囲の表示をプリント範囲枠の表示によって行った実施形態の説明図である。
【符号の説明】
【００３０】
１０  デジタルカメラ（撮影装置）
１６  ＬＣＤ（報知手段）
２３  赤外線通信部
３０  スルー画像
３１  非プリント領域
３２  プリント範囲
４０  携帯型プリンタ
８０  プリント範囲枠
【図１】
2007288262.tif 000003
【図２】
2007288262.tif 000004
【図３】
2007288262.tif 000005
【図４】
2007288262.tif 000006
【図５】
2007288262.tif 000007
【図６】
2007288262.tif 000008
【図７】
2007288262.tif 000009
【図８】
2007288262.tif 000010
【図９】
2007288262.tif 000011
【図１０】
2007288262.tif 000012